(57)【要約】  【課題】  吹出口から送出される空気の風向を切り替えられる空気調和機において、居室の隅々まで調和空気を行き届かせることができるとともに騒音を低減できる空気調和機を提供する。  【解決手段】  送風経路６内の前方下方に調和空気を導く前方案内部６ａの進行方向前方に風向を可変する風向可変部１１０ａ、１１０ｂを設け、吹出口５から調和空気を真下方向または後方下方に送出する際に、風向可変部１１０ａ、１１０ｂ近傍の静圧分布が前方案内部６ａの静圧よりも高圧の高静圧部９０を有し、高静圧部９０の等圧線９０ａが風向可変部１１０ａ、１１０ｂに面して流通する調和空気の流通方向に沿って形成されるように風向可変部１１０ａ、１１０ｂを配置した。【選択図】      図２
2005164061.tif 000002
【特許請求の範囲】
【請求項１】
室内の空気を取り入れる吸込口と、前記吸込口から取り入れて調和された調和空気を室内に送出する吹出口と、調和空気を前記吹出口に導く送風経路と、前記吹出口から送出される調和空気の風向を前方下方と真下方向または後方下方とに可変する風向可変部とを備え、室内の壁面に取り付けられる空気調和機において、
前記吹出口から調和空気を真下方向または後方下方に送出する際に、前記風向可変部近傍の静圧分布の等圧線が前記風向可変部に面した調和空気の流通方向に沿って形成されるように前記風向可変部を配置したことを特徴とする空気調和機。
【請求項２】
前記送風経路は前方下方に向けて調和空気を案内する前方案内部を有し、前記風向可変部は前記吹出口から調和空気を前方下方に送出する際に前記前方案内部を流通する気流に沿った流路を形成するとともに、前記吹出口から調和空気を真下方向または後方下方に送出する際に前記前方案内部を流通する気流を湾曲させることを特徴とする請求項１に記載の空気調和機。
【請求項３】
前記吹出口から調和空気を真下方向または後方下方に送出する際に、前記風向可変部によって前記前方案内部を流通する気流の進行方向前方を閉塞したことを特徴とする請求項２に記載の空気調和機。
【請求項４】
前記吹出口から調和空気を真下方向または後方下方に送出する際に、前記前方案内部を流通する気流の進行方向前方の前記風向可変部に接して前記前方案内部の静圧よりも高圧の高静圧部が形成されることを特徴とする請求項２または請求項３に記載の空気調和機。
【請求項５】
前記高静圧部の断面形状が略弓形の二尖点曲線から成ることを特徴とする請求項４に記載の空気調和機。
【請求項６】
前記高静圧部は略弓形を形成する弧の中央部に静圧の最大値を有することを特徴とする請求項５に記載の空気調和機。
【請求項７】
前記吹出口から調和空気を真下方向または後方下方に送出する際に、前記高静圧部により調和空気の流路を絞って流路面積を前記前方案内部よりも狭くしたことを特徴とする請求項４から請求項６のいずれかに記載の空気調和機。
【請求項８】
前記高静圧部により絞られた流路を下流側で拡大したことを特徴とする請求項７に記載の空気調和機。
【請求項９】
前記風向可変部は前記前方案内部の下側内壁の延長線上に交差して配されることを特徴とする請求項２から請求項８のいずれかに記載の空気調和機。
【請求項１０】
前記風向可変部が前記送風経路の可動の内壁から成ることを特徴とする請求項１〜請求項９のいずれかに記載の空気調和機。
【請求項１１】
前記吹出口から調和空気を真下方向または後方下方に送出する際に、前記風向可変部により前記送風経路が延長されることを特徴とする請求項１０に記載の空気調和機。
【請求項１２】
前記風向可変部は前記吹出口に配されて回動により向きを変える複数の風向板から成ることを特徴とする請求項１〜請求項９のいずれかに記載の空気調和機。
【請求項１３】
前記送風経路の静圧分布を検知する静圧検知手段を設け、前記静圧検知手段の検知結果に基づいて前記風向可変部を可変したことを特徴とする請求項１から請求項１２のいずれかに記載の空気調和機。
【請求項１４】
調和空気の送出により室内の暖房運転を行うことを特徴とする請求項１から請求項１３のいずれかに記載の空気調和機。
【発明の詳細な説明】
【技術分野】
【０００１】
本発明は、筐体内に取り込まれた空気を調和して室内に送出する空気調和機に関する。
【背景技術】
【０００２】
図４７は、特願２００２−２６６４３７号に示される従来の空気調和機の室内機を示す側面断面図である。空気調和機の室内機１は通常、使用者の身長よりも高い位置に配置されており、キャビネット２により本体部が保持されている。キャビネット２は後方側面に爪部（不図示）が設けられ、室内の側壁Ｗ１に取り付けられた取付板（不図示）に該爪部を係合することにより支持される。
【０００３】
キャビネット２には上面側と前面側に吸込口４が設けられたフロントパネル３が着脱自在に取り付けられている。フロントパネル３の下端部とキャビネット２の下端部との間隙には、室内機１の幅方向に延びる略矩形の吹出口５が形成されている。
【０００４】
室内機１の内部には、吸込口４から吹出口５に連通する送風経路６が形成されている。送風経路６内には空気を送出する送風ファン７が配されている。フロントパネル３に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。
【０００５】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００６】
室内熱交換器９とエアフィルタ８との間にはキャビネット２内に取り込まれた空気の温度を検知する温度センサ６１が設けられている。温度センサ６１は吸込口４から吸引された空気の温度を検知し、使用者により設定された目標の室温（以下、「設定温度」という）との差に応じて冷凍サイクルの運転周波数および送風ファン７の送風量が制御されるようになっている。
【０００７】
室内熱交換機９の前後の下部には冷房または除湿時に室内熱交換器９から落下した結露を補集するドレンパン１０が設けられている。前方のドレンパン１０はフロントパネル３に取り付けられ、後方のドレンパン１０はキャビネット２と一体に成形されている。
【０００８】
送風経路６内の吹出口５の近傍には、外部に臨んで上下方向の吹出角度を略水平方向と後方下方との間の任意方向に変更可能な横ルーバ１１ａ、１１ｂが設けられている。横ルーバ１１ａ、１１ｂの奥側には左右方向の吹出角度を変更可能な縦ルーバ１２が設けられている。
【０００９】
上記構成の空気調和機において、空気調和機の暖房を開始すると、送風ファン７が回転駆動され、室外機（不図示）からの冷媒が室内熱交換器９へ流れて冷凍サイクルが運転される。これにより、室内機１内には吸込口４から空気が吸い込まれ、エアフィルタ８によって空気中に含まれる塵埃が除去される。
【００１０】
室内機１内に取り込まれた空気は室内熱交換器９と熱交換して加熱される。そして、送風経路６を通って縦ルーバ１２及び横ルーバ１１ａ、１１ｂによって左右方向及び上下方向の向きが規制され、吹出口５から矢印Ａに示すように前方下方に向けて調和空気が室内に送出される。
【００１１】
室内の温度と設定温度との差が所定温度よりも小さい場合等には、図４８に示すように横ルーバ１１ａ、１１ｂにより風向が略真下方向に向けられる。これにより、吹出口５から矢印Ｂ１に示すように略真下方向に調和空気が送出され、居室内の床面に到達して床面に沿って床面全体に広がる。
【００１２】
また、暖気は比重が小さいため、吹出口５から送出された気流の一部は矢印Ｂ３に示すように巻き上げられて上昇する。その結果、ショートサーキットによる暖房能力低下や居室内の上部が暖められて下部が充分暖められない問題が生じる。
【００１３】
このため、特願２００３−００５３７８号には、図４９に示すように吹出口５から後方に向けて調和空気を送出できる空気調和機が示されている。これにより、吹出口５から矢印Ｃに示すように後方下方へ送出される空気はコアンダ効果によって側壁Ｗ１に伝って床面に到達する。従って、下方に送出された暖気の上昇を防止して暖房効率及び快適性を向上できるようになっている。
【００１４】
また、特許文献１には、風向板の向きを可変して吹出口５から略真下方向に向けて調和空気を送出できる空気調和機が開示されている。
【特許文献１】特許第３３１１９３２号
【発明の開示】
【発明が解決しようとする課題】
【００１５】
図５０は上記従来の空気調和機により吹出口５から前方下方に調和空気を送出した場合の吹出口５近傍の静圧分布を示している。同図によると、吹出口５付近は均一な静圧分布になっている。しかしながら、吹出口５から略真下方向に調和空気を送出した場合には、送風経路６を流通する調和空気は横ルーバ１１ａ、１１ｂによって真下方向に約４５°風向が変更される。図５１はこの時の吹出口５近傍の静圧分布を示している。同図に示すように、送風経路６内には他の部分に比べて静圧が極めて高い高静圧部９０（図４８に斜線で示す）が生ずる。
【００１６】
送風経路６内を流通する調和空気が高静圧部９０を通過する。言い換えれば、高静圧部９０の静圧の等圧線と気流の流線とが交差して調和空気が流通する。このため、大きな圧力損失を引き起こし、送風効率が低下する。即ち、送風ファン７が同一の回転数の場合には最大風量時（上記前方下方吹出し時）の７０〜８０％程度に風量が減少する。つまり、高静圧部９０の等高線と気流とが交差し、気流が高静圧部９０を通過する際に大きな圧力損失が生ずる。これが所謂曲がり損失の原因である。
【００１７】
また、吹出口５から後方下方に調和空気を送出した場合には、送風経路６を流通する調和空気は横ルーバ１１ａ、１１ｂによって後方下方に約９０°風向が変更される。図５２はこの時の吹出口５近傍の静圧分布を示している。同図に示すように、送風経路６内には図５１に示した場合よりも静圧が高い高静圧部９０（図４９に斜線で示す）が生ずる。これにより、送風ファン７が同一の回転数の場合には最大風量時（上記前方下方吹出し時）の５０〜６０％程度に風量が減少する。
【００１８】
吹出口６から送出される風量が減少すると暖気の到達距離の短縮や側壁Ｗ１からの気流の剥離が生じて浮力による巻き上がりが増加する。このため、居室を隅々まで空気調和できなくなるとともに床面近傍の温度が上昇せず、使用者に不快感を与えるとともに局所的に使用者の体温を低下させて健康に害を与える。これを防止するために、送風ファン７の回転数を増加して調和空気を送出することにより風量を増加すると騒音が大きくなる問題があった。
【００１９】
また、送風経路６を下向きに構成して真下方向や後方下方への吹出し時の圧力損失を軽減して騒音を低下させることも考えられる。しかし、水平方向や前方への吹出し時に風量が低下するだけでなく、冷房運転時に横ルーバ１１ａ、１１ｂに結露が生じやすくなるという新たな問題が発生する。
【００２０】
また、特許文献１に開示された空気調和機によると、急激な風向変更を行うため風向板から気流が剥離し、所望の方向に風向を設定するのが困難となる。また、この場合も上記と同様に、風向板の近傍に高静圧部が生じ、気流と交差する等圧線が生じて圧力損失が大きくなるため風量が減少する。
【００２１】
本発明は、吹出口から送出される空気の風向を切り替えられる空気調和機において、居室の隅々まで調和空気を行き届かせることができるとともに騒音を低減できる空気調和機を提供することを目的とする。
【課題を解決するための手段】
【００２２】
上記目的を達成するために本発明は、室内の空気を取り入れる吸込口と、前記吸込口から取り入れて調和された調和空気を室内に送出する吹出口と、調和空気を前記吹出口に導く送風経路と、前記吹出口から送出される調和空気の風向を前方下方と真下方向または後方下方とに可変する風向可変部とを備え、室内の壁面に取り付けられる空気調和機において、前記吹出口から調和空気を真下方向または後方下方に送出する際に、前記風向可変部近傍の静圧分布の等圧線が前記風向可変部に面した調和空気の流通方向に沿って形成されるように前記風向可変部を配置したことを特徴としている。
【００２３】
この構成によると、空気調和機は室内の壁面に取り付けられ、例えば冷房運転を行うと吹出口から前方下方に調和空気が送出される。また、暖房運転を行うと風向可変部が移動して吹出口から真下方向または後方下方に調和空気が送出され、コアンダ効果によって壁面に沿って調和空気が降下した後、床面上を流通して室内を循環する。この時、風向可変部近傍に形成される静圧分布は等圧線が風向可変部に面して流通する気流に沿って略平行に形成される。これにより、気流は等圧線と交差せずに流通して吹出口から送出される。
【００２４】
また本発明は、上記構成の空気調和機において、前記送風経路は前方下方に向けて調和空気を案内する前方案内部を有し、前記風向可変部は前記吹出口から調和空気を前方下方に送出する際に前記前方案内部を流通する気流に沿った流路を形成するとともに、前記吹出口から調和空気を真下方向または後方下方に送出する際に前記前方案内部を流通する気流を湾曲させることを特徴としている。
【００２５】
この構成によると、前方案内部を流通する調和空気は風向可変部の案内によって前方案内部に沿った流路を流通して前方下方に送出される。また、前方案内部を流通する調和空気は風向可変部の案内によって湾曲され、真下方向または後方下方に送出される。
【００２６】
また本発明は、上記構成の空気調和機において、前記吹出口から調和空気を真下方向または後方下方に送出する際に、前記風向可変部によって前記前方案内部を流通する気流の進行方向前方を閉塞したことを特徴としている。この構成によると、前方案内部を流通する気流は進行方向前方を閉塞した風向可変部近傍の空気層によって進行が遮られて湾曲し、真下方向または後方下方に導かれる。
【００２７】
また本発明は、上記構成の空気調和機において、前記吹出口から調和空気を真下方向または後方下方に送出する際に、前記前方案内部を流通する気流の進行方向前方の前記風向可変部に接して前記前方案内部の静圧よりも高圧の高静圧部が形成されることを特徴としている。この構成によると、前方案内部を流通する気流は進行方向前方に形成された高静圧部によって進行が遮られて湾曲し、真下方向または後方下方に導かれる。
【００２８】
高静圧部の断面形状は略弓形の二尖点曲線から成るとよい。また高静圧部は略弓形を形成する弧の中央部に静圧の最大値を有するとより望ましい。
【００２９】
また、本発明は上記構成の空気調和機において、前記吹出口から調和空気を真下方向または後方下方に送出する際に、前記高静圧部により調和空気の流路を絞って流路面積を前記前方案内部よりも狭くしたことを特徴としている。この構成によると、高静圧部により気流が遮られ、調和空気が流通できる流路の幅が前方案内部よりも狭められる。高静圧部により絞られて一端狭くなった流路面積を下流側で再度拡大してもよい。
【００３０】
また、本発明は上記構成の空気調和機において、前記風向可変部は前記前方案内部の下側内壁の延長線上に交差して配されることを特徴としている。この構成によると、風向可変部によって前方案内部の延長上よりも下方に調和空気が導かれる。
【００３１】
また、風向可変部は送風経路の可動の内壁により形成できる。風向可変部により送風経路を延長してもよい。風向可変部は吹出口に配されて回動により向きを変える複数の風向板により形成してもよい。
【００３２】
また、本発明は上記構成の空気調和機において、前記送風経路の静圧分布を検知する静圧検知手段を設け、前記静圧検知手段の検知結果に基づいて前記風向可変部を可変したことを特徴としている。この構成によると、静圧検知手段により送風経路内の静圧分布が検知され、風向可変部近傍の等圧線が流路に沿うように風向可変部の向きが可変される。
【００３３】
また、本発明は上記構成の空気調和機において、調和空気の送出により室内の暖房運転を行うことを特徴としている。
【発明の効果】
【００３４】
本発明によると、吹出口から調和空気を真下方向または後方下方に送出する際に風向可変部近傍の静圧分布の等圧線が流路に沿う方向に形成されるので、風向可変部に面して流通する気流が該等圧線と交差しない。このため、気流にかかる圧力損失が低減して送風ファンの同一回転数時における風量を増加させることができる。従って、所望の風量を送出するのに必要な送風ファンの回転数を下げて騒音を低減することができる。
【００３５】
また本発明によると、風向可変部は吹出口から調和空気を前方下方に送出する際に前方案内部を流通する気流に沿った流路を形成するとともに、吹出口から調和空気を真下方向または後方下方に送出する際に前方案内部を流通する気流を湾曲させるので、風向の可変を容易に実現することができる。
【００３６】
また本発明によると、風向可変部によって前方案内部を流通する気流の進行方向前方を閉塞したので、風向可変部近傍の空気層により容易に気流を湾曲して風向可変部近傍の等圧線を流路に沿って形成することができる。
【００３７】
また本発明によると、前方案内部を流通する気流の進行方向前方の風向可変部に接して高静圧部が形成されるので、高静圧部により容易に気流を湾曲して高静圧部の等圧線を流路に沿って形成することができる。
【００３８】
また本発明によると、高静圧部の断面形状は略弓形の二尖点曲線から成るので、気流と交差しない等圧線を容易に形成することができる。また、高静圧部は略弓形を形成する弧の中央部に静圧の最大値を有するので、高静圧部の上流側と下流側の等圧線が略対称に形成される。このため、等圧線に沿って気流がよりスムーズに流通して圧力損失をより低減させることができる。従って、空気調和機から送出される調和空気の風量をさらに増加することができる。
【００３９】
また本発明によると、高静圧部により調和空気の流路を絞って流路面積を前方案内部よりも狭くしたので、高静圧部に隣接する気流の風速が大きく変化しない。このため、気流の静圧変動を抑制して気流がよりスムーズに流れて圧力損失をより低減できる。従って、空気調和機から送出する調和空気の風量をより増加させることができる。
【００４０】
また、高静圧部により絞られて一端狭くなった流路面積を下流側で再度拡大すると、拡大された流路によって所謂ディフューザが構成され、送風手段の静圧上昇を補助して更に風量を増加することができる。
【００４１】
また本発明によると、風向可変部は前方案内部の下側内壁の延長線上に交差して配されるので、気流を略真下方向または後方下方に確実に導くことができる。
【００４２】
また本発明によると、風向可変部は送風経路の可動の内壁により形成したので、容易に風向を可変するとともに風向可変部近傍の等圧線に沿って気流を流通させることができる。また、風向可変部により送風経路が延長されるので、前方下方への吹出し時の圧力損失を低減できる。また、風向可変部が回動する風向板から成るので、構成をより簡単にすることができる。
【００４３】
また本発明によると、静圧検知手段の検知結果に基づいて風向可変部を可変したので、より確実に風向可変部近傍の等圧線に沿って気流を流通させることができる。
【００４４】
また本発明によると、調和空気の送出により室内の暖房運転を行うので、大風量の暖気を真下方向または後方下方に送出して居室内を効率よく空気調和できる。
【発明を実施するための最良の形態】
【００４５】
以下に本発明の実施形態について図面を参照して説明する。説明の便宜上、以下の各実施形態において前述の図４７〜図５２に示す従来例と同一の部分については同一の符号を付している。
【００４６】
＜第１実施形態＞
図１は第１実施形態の空気調和機を示す側面断面図である（後述する図６のＤ断面を示している）。空気調和機の室内機１は、キャビネット２により本体部が保持されており、キャビネット２には上面側と前面側に吸込口４が設けられたフロントパネル３が着脱自在に取り付けられている。
【００４７】
キャビネット２は後方側面に爪部（不図示）が設けられ、居室の側壁Ｗ１に取り付けられた取付板（不図示）に該爪部を係合することにより支持される。フロントパネル３の下端部とキャビネット２の下端部との間隙には、吹出口５が設けられている。吹出口５は室内機１の幅方向に延びる略矩形に形成され、前方下方に臨んで設けられている。
【００４８】
室内機１の内部には、吸込口４から吹出口５に連通する送風経路６が形成されている。送風経路６内には空気を送出する送風ファン７が配されている。送風ファン７として、例えば、クロスフローファン等を用いることができる。
【００４９】
送風経路６は送風ファン７により送出される空気を前方下方に案内する前方案内部６ａを有している。前方案内部６ａの下流側には可撓性材料から成る風向可変部１１０ａ、１１０ｂが設けられる。風向可変部１１０ａ、１１０ｂにより前方案内部６ａと吹出口５との間の送風経路６の壁面が形成されている。風向可変部１１０ａ、１１０ｂはフレキシブルに変形して所定の位置で保持され、吹出口５の吹出角度を前方上方乃至後方下方に変更できるようになっている。
【００５０】
また、送風経路６内には前方側の風向可変部１１０ａ近傍の静圧を検知する静圧検知センサ（不図示）が設けられている。静圧検知センサの検知により風向可変部１１０ａ近傍の静圧が所定値になるように風向可変部１１０ａ、１１０ｂを配置できるようになっている。
【００５１】
尚、静圧検知センサを用いて風向可変部１１０ａ近傍の静圧が所定値になるように風向可変部１１０ａ、１１０ｂを可変し、風向可変部１１０ａ、１１０ｂの位置をデータベースとして記憶してもよい。これにより、運転条件に応じたデータをデータベースから取りだして風向可変部１１０ａ、１１０ｂを所定位置に配置でき、静圧検知センサを省くことができる。
【００５２】
フロントパネル３に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。室内熱交換器９は屋外に配される圧縮機（不図示）に接続されており、圧縮機の駆動により冷凍サイクルが運転される。
【００５３】
冷凍サイクルの運転によって冷房時には室内熱交換器９が周囲温度よりも低温に冷却される。また、暖房時には、室内熱交換器９が周囲温度よりも高温に加熱される。尚、室内熱交換器９とエアフィルタ８との間には吸い込まれた空気の温度を検知する温度センサ６１が設けられ、室内機１の側部には空気調和機の駆動を制御する制御部（不図示）が設けられている。室内熱交換機９の前後の下部には冷房または除湿時に室内熱交換器９から落下した結露を補集するドレンパン１０が設けられている。
【００５４】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４から空気が吸い込まれ、エアフィルタ８によって空気中に含まれる塵埃が除去される。
【００５５】
室内機１内に取り込まれた空気は室内熱交換器９と熱交換し、冷却または加熱される。  
【００５６】
室内熱交換器９で冷却または加熱された調和空気は、縦ルーバ１２及び風向可変部１１０ａ、１１０ｂによって左右方向および上下方向に向きを規制され、矢印Ａに示すように前方下方に向けて室内に送出される。これにより、室内機１は前方下方に調和空気を送出する前方下方吹出しの状態になる。
【００５７】
このとき、風向可変部１１０ａ、１１０ｂはそれぞれ送風経路６の上壁及び下壁を略直線的に延長するように配置される。これにより、風向可変部１１０ａ、１１０ｂは前方案内部６ａを流通する気流に沿った流路を形成する。また、風向可変部１１０ａ、１１０ｂによって送風経路６が下流に行くほど断面積が拡大するように形成される。このため、風向可変部１１０ａ、１１０ｂが所謂ディフューザとして作用し、風向可変部１１０ａ、１１０ｂに面して流通する気流の運動エネルギーが静圧に変換される。従って、吹出口５から送出される調和空気の風量が増加されるようになっている。
【００５８】
空気調和機の運転開始直後は速やかに室内の空気を循環させる必要がある。このため、送風ファン７の回転速度を高くして室内熱交換器９で熱交換された空気は吹出口５から勢いよく送出される。これにより、調和空気は吹出口５から前方下方に例えば風速約６〜７ｍ／秒で矢印Ａに示すように送出され、居室内を循環する。
【００５９】
また、暖房運転の場合には暖房運転を開始して一定時間経過後または吸込口４より取込んだ空気の温度と設定温度との差が所定温度よりも小さい時に図２に示すように風向可変部１１０ａ、１１０ｂが変形される。そして、吹出口５から矢印Ｃに示すように後方下方（壁方向）に例えば風速約５〜６ｍ／秒で調和空気を送出する。
【００６０】
送風経路６の上壁を構成する風向可変部１１０ａは送風経路６内に面した側が凹に形成され、前方案内部６ａを流通する気流の進行方向前方を閉塞する。送風経路６の下壁を構成する風向可変部１１０ｂは送風経路６内に面した側が凸に形成される。また、風向可変部１１０ａ、１１０ｂの下流側の端部は後方下方に向けて配置される。これにより、前方案内部６ａを流通する気流が風向可変部１１０ａ、１１０ｂにより湾曲され、後方下方に導かれる。
【００６１】
図３は送風経路６の静圧分布を示している。風向可変部１１０ａの内面側には風向可変部１１０ａに接して前方案内部６ａの静圧よりも高圧の高静圧部９０が形成される。送風経路６の静圧を検知する静圧検知センサ（不図示）の検知結果によって風向可変部１１０ａ、１１０ｂは位置調整され、高静圧部９０の等圧線９０ａが風向可変部１１０ａに面して流通する気流に沿って形成されている。即ち、高静圧部９０の等圧線９０ａは前方案内部６ａの終端と風向可変部１１０ａの終端とを結ぶ線に略平行に形成され、高静圧部９０近傍で気流が等圧線９０ａに略平行になっている。
【００６２】
このため、高圧部９０が流体力学的な壁面として作用し、風向可変部１１０ａ、１１０ｂによって調和空気の送出方向を滑らかに可変して圧力損失の増加を抑制することができる。従って、風量を減少させずに調和空気を後方下方に送出することができる。尚、調和空気を略真下方向に送出する際も上記と同様に風向可変部１１０ａ、１１０ｂの向きによって高静圧部９０の等圧線９０ａを気流に沿って形成し、風量を減少させずに調和空気を略真下方向に送出することができる。
【００６３】
図４は本実施形態の空気調和機の室内機１の送風ファン７の回転数と風量の関係を示している。縦軸は風量（単位：ｍ3／ｍｉｎ）を示し、横軸は送風ファン７の回転数（単位：ｒｐｍ）を示している。また、図中、Ｋ１は吹出風向が後方下方（壁方向吹出し、図２参照）のときを表わしている。比較のため、Ｋ２、Ｋ３、Ｋ４はそれぞれ従来の空気調和機において吹出風向が前方下方（最大風量時、図４７参照）、真下方向（図４８参照）、後方下方（図４９参照）のときを表わしている。
【００６４】
同図によると、従来の空気調和機（Ｋ２、Ｋ３、Ｋ４）においては、吹出口５近傍での風向変更角度が大きいほど同一回転数時の風量が減少している。これは、高静圧部９０を気流が通過する際の圧力損失のためであり、気流が通過する高静圧部９０の静圧が高いほど圧力損失も高くなって風量が減少するからである。
【００６５】
これに対し、本実施形態（Ｋ１）は吹出風向が後方下方（壁方向吹出）であるにもかかわらず、風向を変更しない場合の前方下方吹出し時（Ｋ２）と略同等の風量を得ることができる。従って、後方下方吹出し時の送風効率を大幅に向上させることができる。
【００６６】
図５は本実施形態の空気調和機の室内機１の送風ファン７の風量と騒音との関係を示している。縦軸は騒音（単位：ｄＢ）を示し、横軸は風量（単位：ｍ3／ｍｉｎ）を示している。また、上記と同様に、図中、Ｋ１は吹出風向が後方下方（壁方向吹出し、図２参照）のときを表わし、Ｋ２、Ｋ３、Ｋ４はそれぞれ従来の空気調和機において吹出風向が前方下方（最大風量時、図４７参照）、真下方向（図４８参照）、後方下方（図４９参照）のときを表わしている。
【００６７】
同図によると、従来の空気調和機（Ｋ２、Ｋ３、Ｋ４）においては、吹出口５近傍での風向変更角度が大きいほど同一風量時の騒音が増加している。これは、高静圧部９０を気流が通過する際の圧力損失のための風量減少によるものであり、気流が通過する高静圧部９０の静圧が高いほど圧力損失も高くなって風量が減少する。その結果、所望の風量を確保するために送風ファン７の回転数が高くする必要が生じ、騒音が増加するからである。
【００６８】
これに対し、本実施形態（Ｋ１）は吹出風向が後方下方（壁方向吹出）であるにもかかわらず、風向を変更しない場合の前方下方吹出し時（Ｋ２）と略同等の騒音を実現することができる。従って、後方下方吹出し時の静音性を大幅に向上させることができる。
【００６９】
図４５は本実施形態と比較するための比較例の空気調和機の室内機１を示している。同図では、高静圧部９０により形成される流体力学的な壁面に替えて風向可変部１１０ａにより物理的な壁面を形成している。図４６はこの時の風向可変部１１０ａ、１１０ｂ近傍の静圧分布を示している。同図に示すように、流路内には気流の流線と交差する等圧線を有した高静圧部９０が形成される。従って、圧力損失が増大し、前述の図４、図５に示す従来の空気調和機の後方下方吹出し（Ｋ４）と同程度まで風量が激減することになる。
【００７０】
図２において、高静圧部９０は略弓形の二尖点曲線に形成され、高静圧部９０は略弓形を形成する弧の中央部が静圧の最高値になっている。これにより、高静圧部９０の上流側と下流側とが略対称な静圧分布になっている。従って、気流が等圧線９０ａに沿ってよりスムーズに流通して圧力損失をより低減し、空気調和機から送出される調和空気の風量をさらに増加することができる。
【００７１】
更に、風向可変部１１０ａの前方案内部６ａに面した側の内壁は、下流へ行くほど下方に向かうように形成されるとともに、前方案内部６ａの下壁を吹出口５のさらに外側に延長した仮想面９８と交差するように配置されている。これにより、風向可変部１１０ａの下端部が仮想面９８よりも下方に配され、気流が略真下方向または後方下方に確実に導かれる。従って、意図しない方向に気流が送出されず、信頼性の高い空気調和機を得ることができる。
【００７２】
図６は後方下方吹出し時の居室Ｒ内の気流の挙動を示している。調和空気は側壁Ｗ１に沿って下降して矢印Ｃに示すように床面Ｆ、側壁Ｗ１に対向する側壁Ｗ２、天井壁Ｓを順次伝って吸込口４に戻る。これにより、送出された暖気の巻き上がりを防止してショートサーキットによる暖房効率の低下を防止できるとともに、居室Ｒの下部を充分暖めて快適性を向上させることができる。
【００７３】
暖房運転において、吸込口４より取込んだ空気の温度と設定温度との温度差が小さくなったことを温度センサ６１により検知すると、送風ファン７の調整により徐々に送風量が低下される。送風量が低下しても、室内機１から下方に送出された調和空気（暖気）はコアンダ効果により巻き上がらずに側壁Ｗ１に沿って下降し続け、居住空間に直接降り注がずに床面Ｆを伝って足元に到達する。従って、使用者に直接風が当たることによる不快感もなく快適性が向上する。
【００７４】
更に、使用者に直接風が当たることによる不快感がなく、同時に静音化が確保されているため、吸込口４より取込んだ空気の温度と設定温度との温度差が小さくなっても風量を低下させる必要がない。従って、常に大風量の調和空気を居室Ｒ内に供給し続けることができる。
【００７５】
尚、風向可変部１１０ａ、１１０ｂの形状の設定を使用者によるリモートコントローラ（不図示）の操作によって行えるようになっている。これにより、調和空気の風向を使用者により任意に選択することができる。
【００７６】
本実施形態によると、吹出口から調和空気を真下方向または後方下方に送出する際に、風向可変部１１０ａ、１１０ｂに面して流通する気流が前方案内部６ａを流通する気流に対して湾曲する。そして、風向可変部１１０ａ、１１０ｂに接する高静圧部９０の等圧線９０ａが送風経路６を湾曲して流通する気流の主流の流線と交わらないため、該気流にかかる圧力損失を大幅に低減することができる。その結果、大きな風向の変更にもかかわらず大風量の調和空気を送出することができる。尚、高静圧部９０では主流から分かれた低速かつ低エネルギーの気流が風向可変部１１０ａに沿って流通しているため、圧力損失に対する影響が少なくなっている。
【００７７】
また、風向可変部１１０ａ、１１０ｂに面して流通する調和空気の主流は高静圧部９０と送風経路６の下壁面とに囲まれた空間を流通する。即ち、高静圧部９０により流路の壁面が形成される。従って、気流が風向可変部１１０ａと接していないので粘性による損失が低減され、更に風量を増加することができる。
【００７８】
また、風向可変部１１０ａによって前方案内部６ａを流通する気流の進行方向前方を閉塞することによって容易に気流に沿った等圧線９０ａを有する高静圧部９０を形成することができる。
【００７９】
また、高静圧部９０は流路の壁面を成し、高静圧部９０により調和空気の流路を絞ってノズル形状を成して流路面積を前方案内部６ａよりも狭くなる。このため、ノズルの作用により高エネルギーの流体が吹出口５から送出される。その結果、高静圧部９０に隣接する気流の風速が大きく変化せず、気流の静圧変動を抑制して気流がよりスムーズに流れて圧力損失をより低減できる。従って、空気調和機から送出する調和空気の風量をより増加させることができる。
【００８０】
また、高静圧部９０により絞られて一端狭くなった流路面積が風向可変部１１０ａ、１１０ｂの下流側で再度拡大されている。これにより、流路は下流に行くに従い一旦断面積が減少して最小断面積部（以下「のど部」という）が形成される。このため、拡大された流路によって所謂ディフューザが構成され、送風ファン７の静圧上昇を補助して更に風量を増加することができる。また、図３に示すように、流路ののど部には高静圧部９０が発生せず圧力損失が生じないため、その位置で流路を湾曲することにより、圧力損失が生じない湾曲部を形成することができる。
【００８１】
また、吹出口５にフレキシブルに変形できる可撓性の風向可変部１１０ａ、１１０ｂを設けているため、送風経路６の壁面を簡単に可変することができる。このため送風経路内の静圧分布を簡単に変更することができる。
【００８２】
尚、冷房運転の場合には、冷房運転を開始して一定時間が経過した場合や吸込口４より取込んだ空気の温度と設定温度との差が所定温度よりも小さい場合に、図７に示すように風向可変部１１０ａ、１１０ｂが配置される。これにより、吹出口５から矢印Ｄに示すように水平方向に例えば風速約５〜６ｍ／秒で調和空気を送出する。
【００８３】
即ち、前方案内部６ａの上壁を延長する風向可変部１１０ａは水平方向に向けて配置される。前方案内部６ａの下壁を延長する風向可変部１１０ｂは、送風経路６内側が凹になるように下流端が水平方向に向けて配置される。そして、風向可変部１１０ａ、１１０ｂに沿って調和空気が流通すると、風向可変部１１０ｂの凹部に二尖点曲線から成る略弓形の高静圧部９０が形成される。
【００８４】
従って、上記と同様に、送風ファン７の回転数が同一回転数の場合には、従来に比べて大風量の調和空気を吹出口５から水平方向に送出することができ、同一風量の場合には、従来に比べて低騒音にて調和空気を吹出口５から水平方向に送出することができる。
【００８５】
本実施形態の他の態様として、空気調和機を所謂コーナーエアコンのように構成してもよい。即ち、図８に示すように、室内機１ｂを居室Ｒの隣接する二側壁Ｗ３、Ｗ４が交差したコーナーＬの天井壁Ｓに接する位置に取り付けてもよい。この場合においても、吹出口からコーナーＬに向けて後方下方に調和空気を吹き出すことにより、調和空気はコーナーＬ及び側壁Ｗ３、Ｗ４に沿って下降し、矢印Ｃに示すように床面Ｆ、側壁Ｗ３、Ｗ４に対向する側壁Ｗ５、Ｗ６、天井壁Ｓを順次伝って吸込口４に戻る。これにより暖気が居室Ｒ内を循環して暖房運転が行われる。従って、上記の効果を得ることができる。
【００８６】
＜第２実施形態＞
次に、図９は第２実施形態の空気調和機の室内機１を示す側面断面図である。前述の図１〜図８に示す第１実施形態と同様の部分には同一の符号を付している。本実施形態は第１実施形態の可撓性材料から成る風向可変部１１０ａ、１１０ｂに替えて回動により送風経路６を延長する風向可変部１１１ａ、１１１ｂが設けられる。その他の部分は第１実施形態と同様である。
【００８７】
風向可変部１１１ｂは回動軸１１１ｄにより回動可能に支持され、風向可変部１１１ａは回動軸１１１ｄに連結される腕部１１１ｃを介して回動軸１１１ｅにより回動可能に支持されている。回動軸１１１ｄはギヤ（不図示）を介して駆動モータ１１１ｆの駆動により回転する。また、風向可変部１１１ａの先端には風向可変部１１１ａの位置を規制する位置規制部１１１ｇが設けられている。
【００８８】
同図に示すように空気調和機の運転を開始すると風向可変部１１１ａ、１１１ｂがキャビネット２の下方に収納され、矢印Ａに示すように吹出口５から前方下方に調和空気が送出される。また、暖房運転の場合に運転開始して一定時間が経過した場合や吸込口４より取込んだ空気の温度と設定温度との差が所定温度よりも小さい場合には、図１０に示すように風向可変部１１１ａ、１１１ｂが展開される。これにより、矢印Ｃに示すように後方下方に調和空気が送出される。例えば、側壁Ｗ１に向けて風速約５〜６ｍ／秒で送出され、コアンダ効果によって側壁Ｗ１に沿って流通する。
【００８９】
図１１（ａ）〜（ｆ）は風向可変部１１１ａ、１１１ｂの動作を示している。図１１（ａ）は風向可変部１１１ａ、１１１ｂが展開した状態（図１０参照）を表している。即ち、風向可変部１１１ａは前方案内部６ａの上壁に接触して第１実施形態と同様に送風経路６の上壁を延長し、前方案内部６ａの気流の進行方向前方を閉塞する位置に配置される。風向可変部１１１ｂは第１実施形態と同様に送風経路６の下壁を延長する位置に配置される。
【００９０】
図１１（ｂ）は駆動モータ１１１ｆが駆動開始した状態を示している。駆動モータ１１１ｆの駆動により回転軸１１１ｄがＪ方向に回転すると、風向可変部１１１ａ、１１１ｂ及び腕１１１ｃが回転軸１１１ｄを中心にしてＪ方向に回動する。図１１（ｃ）、（ｄ）に示すように更に駆動モータ１１１ｆの駆動により回動軸１１１ｄが回動すると、風向可変部板１１１ｂがキャビネット２の下面に接触する。
【００９１】
更に回動軸１１ｄが回転すると風向可変部１１１ａが回動し、図１１（ｅ）に示すように位置規制部１１１ｇがキャビネット２の下面に当接する。腕部１１１ｃが回動を継続することによって位置規制部１１１ｆがキャビネット２と摺動し、風向可変部１１１ｂがＫ方向に回動する。そして、図１１（ｆ）に示すように、風向可変部１１１ａが風向可変部１１１ｂに当接して風向可変部１１１ａ、１１１ｂが収納状態（図９参照）になる。尚、風向可変部１１１ａ、１１１ｂを展開する場合は上記と逆順に動作する。
【００９２】
図１０において、風向可変部１１１ａは送風経路６側が凹になり、下流側の端部が後方下方に向けられる。風向可変部１１１ｂは第１実施形態と同様に送風経路６の下壁を延長して配置される。また、風向可変部１１１ｂは送風経路６側が凸になり、吹出口５の下壁部を拡張して滑らかに延長する位置に配されて下流側の端部は後方下方に向けられる。そして、第１実施形態と同様に、風向可変部１１１ａ、１１１ｂに面して調和空気が流通する際に風向可変部１１１ａに接した二尖点曲線から成る略弓形の高静圧部９０を形成する。
【００９３】
これにより、高静圧部９０の等圧線９０ａ（図３参照）は風向可変部１１１ａ、１１１ｂに面した気流に沿って形成される。このため、高静圧部９０が流体力学的な壁面となり、調和空気が送出方向を滑らかに可変して圧力損失を生じることなく吹出口５から後方下方に送出される。風向可変部１１１ａ、１１１ｂの先端を略真下方向に向けて配置して吹出口５から略真下方向に調和空気を送出してもよい。
【００９４】
また、高静圧部９０によって流路が絞られ、下流側で再度流路が拡大されている。更に、風向可変部１１１ａは前方案内部６ａの下壁を吹出口５から外側に延長した仮想面９８と交差するように配置される。従って、第１実施形態と同様の効果を得ることができる。尚、使用者によるリモートコントローラの操作によって、縦ルーバ１２および風向可変部１１１ａ、１１１ｂの設定を可変できるようになっている。
【００９５】
＜第３実施形態＞
次に、図１２は第３実施形態の空気調和機の室内機１を示す側面断面図である。前述の図９〜図１１に示す第２実施形態と同様の部分には同一の符号を付している。本実施形態は第２実施形態の風向可変部１１１ａ、１１１ｂに替えて回動可能に支持される風向可変部１１２ａ、１１２ｂが設けられる。その他の部分は第２実施形態と同様である。
【００９６】
風向可変部１１２ｂは前方案内部６ａの下壁を延長し、駆動モータ（不図示）の駆動によって回転する回動軸１１２ｆによりキャビネット２に枢支されている。回動軸１１２ｆには上腕１１２ｃが回動可能に連結され、上腕１１２ｃには腕関節１１２ｅを介して下腕１１２ｄが回動可能に連結されている。風向可変部１１２ａは吹出口５に配されるとともに駆動モータ（不図示）によって回転する回動軸１１２ｇにより下腕１１２ｄに回動可能に支持され、駆動モータの駆動によって向きを替えて風向を可変する風向板から成っている。
【００９７】
暖房運転を開始すると、断面形状が湾曲した風向可変部１１２ａ、１１２ｂは同図に示すように上腕１１２ｃ、下腕１１２ｄが伸びた状態で前方案内部６ａに沿って配置される。風向可変部１１２ａは先端を下方に向けて下面側が凹になるように配置され、風向可変部１１２ｂは先端を下方に向けて送風経路６側が凸になるように配置される。そして、調和空気を矢印Ａに示すように前方下方に送出する。
【００９８】
また、風向可変部１１２ｂは送風経路６側が凸になっているため、調和空気の流路が下流に行くほど断面積が拡大されている。これにより、この部分を気流が流通すると運動エネルギーが静圧に変換され、所謂ディフューザとして作用する。このため、送風ファン７の風量を増加するようになっている。
【００９９】
暖房運転を開始して一定時間が経過した場合や吸込口４より取込んだ空気の温度と設定温度との差が所定温度よりも小さい場合には、図１３に示すように風向可変部１１２ａ、１１２ｂが配置される。即ち、風向可変部１１２ａは駆動モータの駆動によって送風経路６の上壁に一端部が接触して送風経路６の上壁を延長する位置に配される。風向可変部１１２ａの他端部は後方下方に向けて配置される。また、風向可変部１１２ｂは送風経路６側が凸になるように先端が後方下方に向けて配置される。
【０１００】
これにより、風向可変部１１２ａによって前方案内部６ａを流通する気流の進行方向前方が閉塞され、風向可変部１１２ａに接した二尖点曲線から成る略弓形の高静圧部９０が形成される。高静圧部９０は等圧線９０ａ（図３参照）が第１、第２実施形態と同様に風向可変部１１２ａ、１１２ｂに面した調和空気の流通方向に沿って形成される。このため、高静圧部９０が流体力学的な壁面となり、調和空気が送出方向を滑らかに可変して吹出口５から後方下方に送出される。
【０１０１】
この時、前方案内部６ａの上壁と風向可変部１１２ａとの接触部分が滑らかな曲面にならないため高静圧部９０には渦２５が発生して第１、第２実施形態よりも送風効率がやや低下する。しかしながら、従来よりも圧力損失の増加を抑制して第１、第２実施形態と略同等の送風効率を得ることができる。風向可変部１１２ａ、１１２ｂの先端を略真下方向に向けて吹出口５から略真下方向に調和空気を送出してもよい。
【０１０２】
また、高静圧部９０によって流路が絞られ、下流側で再度流路が拡大されている。更に、風向可変部１１２ａは前方案内部６ａの下壁を吹出口５から外側に延長した仮想面９８と交差するように配置される。従って、第１、第２実施形態と同様の効果を得ることができる。
【０１０３】
上記構成の空気調和機により冷房運転を開始すると、風向可変部１１２ａ、１１２ｂは図１４に示すように配置される。即ち、風向可変部１１２ａは上腕１１２ｃ、下腕１１２ｄが伸びた状態で前方案内部６ａに沿って先端を前方下方に向けて下面側が凸になるように配置される。
【０１０４】
風向可変部１１２ｂは吹出口５から送出される気流から退避してキャビネット２の下方に収納される。そして、調和空気を矢印Ａに示すように前方下方に送出する。これにより、暖房運転時の前方下方吹出しよりも上方に調和空気を送出し、温度の低い調和空気が自重により降下して室内に拡散されるようになっている。また、風向可変部１１２ｂをキャビネット２の下方に収納することにより、冷房時の風向可変部１１２ｂへの発露を防止できる。
【０１０５】
冷房運転を開始して一定時間が経過した場合や吸込口４より取込んだ空気の温度と設定温度との差が所定温度よりも小さい場合には、図１５に示すように風向可変部１１２ａ、１１２ｂが配置される。即ち、風向可変部１１２ａは上腕１１２ｃ、下腕１１２ｄが伸びた状態で下面側が凸になるとともに、上流側の端部が送風経路６を流通する気流に略平行かつ気流を二分し、下流側の端部が水平方向前方を向くように配置される。
【０１０６】
また、風向可変部１１２ｂは吹出口５から送出される気流から退避してキャビネット２の下方に収納される。そして、吹出口５から矢印Ｄに示すように水平方向に例えば風速約５〜６ｍ／秒で調和空気が送出される。
【０１０７】
図１６は空気調和機の運転停止時の状態を示している。空気調和機の運転を停止すると、上腕１１２ｃ、下腕１１２ｄが折り畳まれた状態になり風向可変部１１２ｂが送風経路６内に配され、風向可変部１１２ａにより吹出口５が閉塞される。これにより、室内機１の内部を視認できないようになっている。尚、使用者によるリモートコントローラの操作によって、縦ルーバ１２及び風向可変部１１２ａ、１１２ｂの位置を可変できるようになっている。
【０１０８】
＜第４実施形態＞
次に、図１７は第４実施形態の空気調和機の室内機１を示す側面断面図である。前述の図１２〜図１６に示す第３実施形態と同様の部分には同一の符号を付している。本実施形態は第３実施形態の風向可変部１１２ａ、１１２ｂに替えて回動可能に支持される風向可変部１１３ａ、１１３ｂ、１１３ｃが設けられる。また、送風経路６の上壁は吹出口５近傍で上方に向けて傾斜している。その他の部分は第３実施形態と同様である。
【０１０９】
風向可変部１１３ｃは前方案内部６ａの下壁を延長し、駆動モータ（不図示）の駆動によって回転する回動軸１１３ｆによりキャビネット２に枢支されている。風向可変部１１３ａ、１１３ｂは吹出口５に配されるとともに駆動モータ（不図示）によって回転する回動軸１１３ｄ、１１３ｅにより回動可能に支持され、駆動モータの駆動によって向きを替えて風向を可変する風向板から成っている。
【０１１０】
また、風向可変部１１３ｂ、１１３ｃは断面形状が湾曲しており、一面が凸状の曲面に形成されるとともに他面が凹状の曲面に形成される。風向可変部１１３ａは一面（図中、下面）が略平面になっており他面（図中、上面）が緩やかな凸状の曲面に形成され、略中央部付近を回転軸１１３ｄで軸支されている。
【０１１１】
上記構成の空気調和機において、暖房運転を開始すると風向可変部１１３ａ、１１３ｂ、１１３ｃは同図に示すように配置される。即ち、風向可変部１１３ａは回転軸１１３ｄの駆動により後方下方に面して平面側が配され、前方上方に面して曲面側が配置される。風向可変部１１３ｂは回転軸１１３ｅの駆動により上流側端部は送風経路６を流通する気流に略平行かつ気流を二分して配される。また、風向可変部１１３ｂの前方上方側が凸に配置され、下流側の端部は前方下方に向けられる。
【０１１２】
風向可変部１１３ｃは先端を下方に向けて送風経路６側が凸になるように配置される。そして、調和空気を矢印Ａに示すように前方下方に送出する。これにより、室内機１は前方下方に調和空気を送出する前方下方吹出しの状態になる。
【０１１３】
また、風向可変部１１３ｃは送風経路６側が凸になっているため、調和空気の流路が下流に行くほど断面積が拡大されている。これにより、この部分を気流が流通すると運動エネルギーが静圧に変換され、所謂ディフューザとして作用する。このため、送風ファン７の風量を増加するようになっている。
【０１１４】
また、図１８に示すように風向可変部１１３ａ、１１３ｃにより吹出口５を絞ることもできる。即ち、風向可変部１１３ａは前方上方に面して平面側が配され、後方下方に面して曲面側が配される。風向可変部１１３ｃは図１７よりも上向きに配置され、風向可変部１１３ａとの間に形成される調和空気の流路面積が縮小される。風向可変部１１３ｂは風向可変部１１３ａ、１１３ｃの間を流通する気流に沿って配置される。
【０１１５】
これにより、風向可変部１１３ａ、１１３ｃの間を気流が流通すると静圧が運動エネルギーに変換される。従って、送風ファンの風量が減少して吹出し風速が増加し、気流の到達距離を延長することができる。
【０１１６】
暖房運転を開始して一定時間が経過した場合や吸込口４より取込んだ空気の温度と設定温度との差が所定温度よりも小さい場合には、図１９に示すように風向可変部１１３ａ、１１３ｂ、１１３ｃが配置される。即ち、風向可変部１１３ａは駆動モータの駆動によって平面側を前面に向け、送風経路６の上壁に一端部が接触して送風経路６の上壁を延長する位置に配される。
【０１１７】
風向可変部１１３ａの他端部は回動軸１１３ｅに接するように下方に向けて配される。風向可変部１１３ｂは送風経路６側が凹になるように先端が後方下方に向けて配される。風向可変部１１３ｃは送風経路６側が凸になるように先端が後方下方に向けられて配される。
【０１１８】
これにより、前方案内部６ａを流通する気流の進行方向前方が風向可変部１１３ａ、１１３ｂにより閉塞され、風向可変部１１３ａ、１１３ｂに接した二尖点曲線から成る略弓形の高静圧部９０が形成される。高静圧部９０の等圧線９０ａ（図３参照）は第１〜第３実施形態と同様に風向可変部１１３ａ、１１３ｂ、１１３ｃに面した調和空気の流通方向に沿って形成される。このため、高静圧部９０が流体力学的な壁面となり、調和空気が送出方向を滑らかに可変して吹出口５から後方下方に送出される。
【０１１９】
この時、前方案内部６ａの上壁と風向可変部１１３ａとの接触部分が滑らかな曲面により形成されないため高静圧部９０には渦２５が発生して第１、第２実施形態よりも送風効率がやや低下する。しかしながら、従来よりも圧力損失の増加を抑制して第１、第２実施形態と略同等の送風効率を得ることができる。
【０１２０】
また、高静圧部９０によって流路が絞られ、下流側で再度流路が拡大されている。更に、風向可変部１１３ｂは前方案内部６ａの下壁を吹出口５のさらに外側に延長した仮想面９８と交差するように配置される。従って、第１〜第３実施形態と同様の効果を得ることができる。
【０１２１】
尚、図２０に示すように、風向可変部１１３ａの平面側を送風経路６に面して配置してもよい。これにより、前面パネル３に沿って風向可変部１１３ａ、１１３ｂが配され、室内機１の美観が向上する。この時、高静圧部９０は前方上方に傾斜した送風経路６の上壁と風向可変部１１３ａ、１１３ｂにより囲まれて形成されるため高静圧部９０内に発達する渦２５が大きくなる。このため、図１９の場合に比して送風効率がやや若干低下するが従来よりも圧力損失の増加を抑制することができる。
【０１２２】
また、図２１に示すように、風向可変部１１３ｂ、１１３ｃの先端を略真下方向に向けて吹出口５から略真下方向に調和空気を送出してもよい。この時、図２２に示すように前面パネル３に沿って風向可変部１１３ａを配置すると室内機１の美観が向上する。
【０１２３】
また上記構成の空気調和機において、冷房運転を開始すると、風向可変部１１３ａ、１１３ｂ、１１３ｃは図２３に示すように配置される。即ち、風向可変部１１３ａは前方案内部６ａを流通する気流に沿って平面側が前方上方に面して配置される。風向可変部１１３ｂは前方案内部６ａを流通する気流に略平行かつ気流を二分して下に凸に配される。風向可変部１１３ｃは吹出口５から送出される気流から退避してキャビネット２の下方に配される。
【０１２４】
そして、調和空気を矢印Ａに示すように前方下方に送出する。これにより、暖房運転時の前方下方吹出しよりも上方に調和空気を送出し、温度の低い調和空気が自重により降下して室内に拡散される。
【０１２５】
尚、風向可変部１１３ａを前述の図１７に示すように後方下方に面して平面側を配置すると上方に気流が流れず風向可変部１１３ａに結露が生じる。このため、風向可変部１１３ａの平面側を上面にすることにより回動軸１１３ｄよりも下方に風向可変部１１３ａが配置される。これにより、風向可変部１１３ａの両面に沿って低温の調和空気が流通し、風向可変部１１３ａの結露を防止することができる。
【０１２６】
冷房運転を開始して一定時間が経過した場合や吸込口４より取込んだ空気の温度と設定温度との差が所定温度よりも小さい場合には、図２４に示すように風向可変部１１３ａ、１１３ｂ、１１３ｃが配置される。即ち、風向可変部１１３ａは前方案内部６ａを流通する気流に沿って平面側が後方上方に面して配置される。風向可変部１１３ｂは前方案内部６ａを流通する気流に略平行かつ気流を二分して下に凸に配される。風向可変部１１３ｃは吹出口５から送出される気流から退避してキャビネット２の下方に配される。
【０１２７】
これにより、調和空気は吹出口５から矢印Ｅに示すように前方上方に例えば風速約５〜６ｍ／秒で送出される。室内に送出された調和空気は図２５に示すように、居室Ｒの天井に到達する。その後、コアンダ効果により天井面Ｓから室内機１に対向する壁面Ｗ２、床面Ｆ、室内機１側の壁面Ｗ１を順次伝って室内機１の両側方から吸込口４に吸い込まれる。
【０１２８】
従って、使用者に常に冷たい風や暖かい風が当たることがなく、使用者の不快感を防止して快適性を向上することができる。更に、冷房時には局所的に使用者の体温を低下させることがなく健康上の安全性を向上することができる。またこのとき、気流が居室Ｒ全体を大きく攪拌するので、居室Ｒ内の温度分布が設定温度付近で均一になる。即ち、居室Ｒの上方の一部を除いて、使用者の居住領域全体が設定温度に略一致して温度ばらつきが小さく直接風もほとんど使用者に当たることのない快適空間を得ることができる。また、風向可変部１１３ｃをキャビネット２の下方に収納することにより、冷房時の風向可変部１１３ｃへの発露を防止できる。
【０１２９】
更に、図２６に示すように、風向可変部１１３ａの向きを水平にすると、矢印Ｄに示すように調和空気を吹出口５から水平方向に送出することができる。尚、前述の図２３に示す前方下方吹出し時に風向可変部１１３ｂを下に凸に配置することにより、前方上方吹出し時（図２４参照）及び水平方向吹出し時（図２６参照）においてスムーズに風向可変部１１３ｂを配置することができる。
【０１３０】
図２７は空気調和機の運転停止時の状態を示している。空気調和機の運転を停止すると、風向可変部１１３ｃが送風経路６内に配置され、風向可変部１１３ａ、１１３ｂにより吹出口５が閉塞される。これにより、室内機１の内部を視認できないようになっている。また、前面パネル３に沿って風向可変部１１３ａを配置し、風向可変部１１３ａの下端とキャビネット２の底面とを繋ぐように風向可変部１１３ｂを配置すると、室内機１の美観を向上することができる。尚、使用者によるリモートコントローラの操作によって、縦ルーバ１２及び風向可変部１１３ａ、１１３ｂ、１１３ｃの位置を可変できるようになっている。
【０１３１】
＜第５実施形態＞
次に、図２８は第５実施形態の空気調和機の室内機１を示す側面断面図である。前述の図１７〜図２７に示す第４実施形態と同様の部分には同一の符号を付している。本実施形態は第４実施形態の風向可変部１１３ａ、１１３ｂ、１１３ｃに替えて風向可変部１１４ａ、１１４ｂが設けられる。その他の部分は第４実施形態と同様である。
【０１３２】
風向可変部１１４ａ、１１４ｂは吹出口５に配され、両面が平面の平板から成っている。回動軸１１４ｃ、１１４ｄは風向可変部１１４ａ、１１４ｂを回動可能に支持し、駆動モータ（不図示）によって回転する。これにより、風向可変部１１４ａ、１１４ｂは駆動モータの駆動によって向きを替えて風向を可変する風向板から成っている。また、回動軸１１４ｃは風向可変部１１４ａの略中央に設けられ、回動軸１１４ｄは風向可変部１１４ｂの端部に設けられる。
【０１３３】
上記構成の空気調和機において、暖房運転を開始すると風向可変部１１４ａ、１１４ｂは同図に示すように配置される。即ち、風向可変部１１４ａ、１１４ｂは前方案内部６ａを流通する気流に沿って配置される。この時、風向可変部１１４ｂは回動軸１１４ｄ側の端部が後方になるように配置されている。そして、調和空気を矢印Ａに示すように前方下方に送出する。これにより、室内機１は前方下方に調和空気を送出する前方下方吹出しの状態になる。
【０１３４】
暖房運転を開始して一定時間が経過した場合や吸込口４より取込んだ空気の温度と設定温度との差が所定温度よりも小さい場合には、図２９に示すように風向可変部１１４ａ、１１４ｂが配置される。即ち、風向可変部１１４ａは駆動モータの駆動によって一端が送風経路６の上壁に近接して上壁を下方へ延長するように配される。風向可変部１１４ａの他端部は回動軸１１４ｄに近接して下方に向けて配される。風向可変部１１４ｂは先端が後方下方に向けて配される。
【０１３５】
これにより、前方案内部６ａを流通する気流の進行方向前方が風向可変部１１４ａ、１１４ｂにより閉塞され、風向可変部１１４ａ、１１４ｂに接した高静圧部９０が形成される。高静圧部９０の等圧線９０ａ（図３参照）は第１〜第４実施形態と同様に風向可変部１１４ａ、１１４ｂに面した調和空気の流通方向に沿って形成される。このため、高静圧部９０が流体力学的な壁面となり、調和空気が送出方向を滑らかに可変して吹出口５から後方下方に送出される。
【０１３６】
また、高静圧部９０によって流路が絞られ、下流側で再度流路が拡大されている。更に、風向可変部１１４ｂは前方案内部６ａの下壁を吹出口５から外側に延長した仮想面９８と交差するように配置される。従って、第１〜第４実施形態と同様の効果を得ることができる。尚、高静圧部９０は第１〜第４実施形態のように略弓形を成さないためやや送風効率が劣化するが、従来よりも圧力損失を低減して送風効率を向上できる。
【０１３７】
また、図３０に示すように、風向可変部１１４ａを前面パネル３に沿って配置すると室内機１の美観が向上する。この時、前方案内部６ａの上壁と風向可変部１１４ａとの接触部分が滑らかな曲面により形成されないため高静圧部９０には渦２５が発生して第１、第２実施形態よりも送風効率がやや低下する。しかしながら、従来よりも圧力損失の増加を抑制して第１、第２実施形態と略同等の送風効率を得ることができる。
【０１３８】
また、図３１に示すように風向可変部１１４ｂの先端を略真下方向に向けて吹出口５から略真下方向に調和空気を送出してもよい。この時、図３２に示すように、前面パネル３に沿って風向可変部１１４ａを配置すると室内機１の美観が向上する。
【０１３９】
また、図３３に示すように、風向可変部１１４ｂを軸側の端部が前方になるように配置して前方吹出しを行ってもよい。しかしながら、前述の図２８において前方下方吹出し時に風向可変部１１４ｂの軸側の端部を後方に配置することによって、後方下方吹出し時（図２９、図３０参照）や略真下方向に送出する際（図３１、図３２参照）に風向可変部１１４ｂをスムーズに移動させることができるのでより望ましい。
【０１４０】
また、上記構成の空気調和機において冷房運転を開始すると、風向可変部１１４ａ、１１４ｂは図３４に示すように配置される。即ち、風向可変部１１４ａ、１１４ｂは前方案内部６ａを流通する気流に沿って前方下方に傾斜して配置される。この時、風向可変部１１４ａは前述の図２８、図３３に示す暖房運転の前方下方吹出し時よりも前端が上方に配される。これにより、風向可変部１１４ａの両面を気流が通過して低温の調和空気による風向可変部１１４ａ表面の結露を防止することができる。
【０１４１】
また、風向可変部１１４ｂは回動軸１１４ｄ側の端部が前方になるように配置されている。そして、調和空気を矢印Ａに示すように前方下方に送出する。これにより、室内機１は前方下方に調和空気を送出する前方下方吹出しの状態になる。
【０１４２】
冷房運転を開始して一定時間が経過した場合や吸込口４より取込んだ空気の温度と設定温度との差が所定温度よりも小さい場合には、図３５に示すように風向可変部１１４ａ、１１４ｂが配置される。即ち、風向可変部１１４ａは前端が後端よりも上方に配され、吹出口５近傍で上方に傾斜した送風経路６の上壁に略平行になっている。風向可変部１１４ｂは軸側の端部が開放側の端部よりも前方下方になるように配される。
【０１４３】
これにより、調和空気は吹出口５から矢印Ｅに示すように前方上方に例えば風速約５〜６ｍ／秒で送出される。室内に送出された調和空気は前述の図２５と同様に居室Ｒの天井に到達する。その後、コアンダ効果により天井面Ｓから室内機１に対向する壁面Ｗ２、床面Ｆ、室内機１側の壁面Ｗ１を順次伝って室内機１の両側方から吸込口４に吸い込まれる。従って、第４実施形態と同様に、快適性や安全性を向上することができる。
【０１４４】
更に、図３６に示すように、風向可変部１１４ａの向きを水平にすると、矢印Ｄに示すように調和空気を吹出口５から水平方向に送出することができる。尚、前述の図３４に示す前方下方吹出し時に風向可変部１１４ｂの軸側を前方に配置することにより、前方上方吹出し時（図３５参照）及び水平方向吹出し時（図３６参照）にスムーズに風向可変部１１４ｂを配置することができる。
【０１４５】
図３７は空気調和機の運転停止時の状態を示している。空気調和機の運転を停止すると、風向可変部１１４ａ、１１４ｂにより吹出口が閉塞される。これにより、室内機１の内部を視認できないようになっている。また、前面パネル３に沿って風向可変部１１４ａを配置し、風向可変部１１４ａの下端とキャビネット２の底面とを繋ぐように風向可変部１１４ｂを配置すると、室内機１の美観を向上することができる。尚、使用者によるリモートコントローラの操作によって、縦ルーバ１２及び風向可変部１１４ａ、１１４ｂの位置を可変できるようになっている。
【０１４６】
＜第６実施形態＞
次に、図３８は第６実施形態の空気調和機の室内機１を示す側面断面図である。前述の図２８〜図３７に示す第５実施形態と同様の部分には同一の符号を付している。本実施形態は第５実施形態の風向可変部１１４ａ、１１４ｂに替えて、風向可変部１１５ａ、１１５ｂが設けられる。その他の部分は第５実施形態と同様である。
【０１４７】
風向可変部１１５ａ、１１５ｂは吹出口５に配され、両面が平面の平板から成っている。回動軸１１５ｃ、１１５ｄは風向可変部１１５ａ、１１５ｂを回動可能に支持し、駆動モータ（不図示）によって回転する。これにより、風向可変部１１５ａ、１１５ｂは駆動モータの駆動によって向きを替えて風向を可変する風向板から成っている。また、回動軸１１５ｃは風向可変部１１５ａの略中央に設けられ、回動軸１１５ｄは風向可変部１１５ｂの略中央の風向可変部１１５ｂから所定量離れた位置に設けられる。
【０１４８】
上記構成の空気調和機において、暖房運転を開始すると風向可変部１１５ａ、１１５ｂは同図に示すように配置される。即ち、風向可変部１１５ａ、１１５ｂは前方案内部６ａを流通する気流に沿って配置される。この時、風向可変部１１５ｂの回動軸１１５ｄは風向可変部１１５ｂの上方に配されている。そして、調和空気を矢印Ａに示すように前方下方に送出する。これにより、室内機１は前方下方に調和空気を送出する前方下方吹出しの状態になる。
【０１４９】
また、図３９に示すように、風向可変部１１５ｂの回動軸１１５ｄを風向可変部１１５ｂの下方に配して前方下方吹出しを行ってもよい。図３８に示すように回動軸１１５ｄを風向可変部１１５ｂの上方に配した場合は、遠方にまで調和空気を到達させることができる。このため、居室が比較的大きい場合に適している。
【０１５０】
また、図３９に示すように回動軸１１５ｄを風向可変部１１５ｂの下方に配した場合は、回動軸１１５ｄを風向可変部１１５ｂの上方に配した場合よりも暖房時に近傍の空間においてきめ細やかな気流制御を行うことができる。このため、居室が比較的小さい場合に適している。従って、居室の大きさに基づいて適時選択することができる。
【０１５１】
暖房運転を開始して一定時間が経過した場合や吸込口４より取込んだ空気の温度と設定温度との差が所定温度よりも小さい場合には、図４０に示すように風向可変部１１５ａ、１１５ｂが配置される。即ち、風向可変部１１５ａは駆動モータの駆動によって一端が送風経路６の上壁に接して前方案内部６ａの上壁を延長するように配される。風向可変部１１５ｂは一端が風向可変部１１５ａに近接し、他端が略真下方向に向けて配される。尚、風向可変部１１５ａ、１１５ｂ間の隙間は極めて小さく、調和空気がこの隙間から漏れる量は極めて微量である。
【０１５２】
これにより、前方案内部６ａを流通する気流の進行方向前方が風向可変部１１５ａ、１１５ｂにより閉塞され、風向可変部１１５ａ、１１５ｂに接した高静圧部９０が形成される。高静圧部９０の等圧線９０ａ（図３参照）は第１〜第５実施形態と同様に風向可変部１１５ａ、１１５ｂに面した調和空気の流通方向に沿って形成される。このため、高静圧部９０が流体力学的な壁面となり、調和空気が送出方向を滑らかに可変して吹出口５から後方下方に送出される。
【０１５３】
また、高静圧部９０によって流路が絞られ、下流側で再度流路が拡大されている。更に、風向可変部１１５ｂは前方案内部６ａの下壁を吹出口５から外側に延長した仮想面９８と交差するように配置される。従って、第１〜第５実施形態と同様の効果を得ることができる。尚、高静圧部９０は第１〜第４実施形態のように略弓形を成さないためやや送風効率が劣化するが、従来よりも圧力損失を低減して送風効率を向上できる。
【０１５４】
また、風向可変部１１５ｂは回動軸１１５ｄが端部に設けられず、略中央の所定量離れて設けられるため、第５実施形態に比して少ないトルクで回動させることができる。従って、駆動モータの省電力化や駆動モータ出力のスペックダウンによる低コスト化を図ることができる。
【０１５５】
尚、図４１に示すように風向可変部１１５ｂの先端を真下方向からやや前方に向けて吹出口５から矢印Ｂに示すように略真下方向に調和空気を送出してもよい。前述の図３９において前方下方吹出し時に風向可変部１１５ｂの回動軸１１５ｄを下方に配置することによって、後方下方吹出し時（図４０参照）や略真下方向に送出する際（図４１参照）に風向可変部１１５ｂをスムーズに移動させることができる。
【０１５６】
また、上記構成の空気調和機において冷房運転を開始すると、風向可変部１１５ａ、１１５ｂは前述の図３８に示すように配置される。この時、風向可変部１１５ａは暖房時に比べて外側端部がやや上になるように設定される。これにより、風向可変部１１５ａの両面に調和空気を流通させて風向可変部１１５ａの発露を防止することができる。そして、調和空気を矢印Ａに示すように前方下方に送出する。これにより、室内機１は前方下方に調和空気を送出する前方下方吹出しの状態になる。
【０１５７】
冷房運転を開始して一定時間が経過した場合や吸込口４より取込んだ空気の温度と設定温度との差が所定温度よりも小さい場合には、図４２に示すように風向可変部１１５ａ、１１５ｂが配置される。即ち、風向可変部１１５ａは前端が後端よりも上方に配され、吹出口５近傍で上方に傾斜した送風経路６の上壁に略平行になっている。風向可変部１１５ｂは外側の端部が内側の端部よりも前方下方になるように配される。
【０１５８】
これにより、調和空気は吹出口５から矢印Ｅに示すように前方上方に例えば風速約５〜６ｍ／秒で送出される。室内に送出された調和空気は前述の図２５と同様に居室Ｒの天井に到達する。その後、コアンダ効果により天井面Ｓから室内機１に対向する壁面Ｗ２、床面Ｆ、室内機１側の壁面Ｗ１を順次伝って室内機１の両側方から吸込口４に吸い込まれる。従って、第４、第５実施形態と同様に、快適性や安全性を向上することができる。
【０１５９】
更に、図４３に示すように、風向可変部１１５ａの向きを水平にすると、矢印Ｄに示すように調和空気を吹出口５から水平方向に送出することができる。尚、前述の図３８に示す前方下方吹出し時に風向可変部１１５ｂの回動軸１１５ｄを風向可変部１１５ｂの上方に配置することにより、前方上方吹出し時（図４２参照）及び水平方向吹出し時（図４３参照）にスムーズに風向可変部１１５ｂを配置することができる。
【０１６０】
図４４は空気調和機の運転停止時の状態を示している。空気調和機の運転を停止すると、風向可変部１１５ａ、１１５ｂにより吹出口が閉塞される。これにより、室内機１の内部を視認できないようになっている。また、前面パネル３に沿って風向可変部１１５ａを配置し、風向可変部１１５ａの下端とキャビネット２の底面とを繋ぐように風向可変部１１５ｂを配置すると、室内機１の美観を向上することができる。尚、使用者によるリモートコントローラの操作によって、縦ルーバ１２及び風向可変部１１５ａ、１１５ｂの位置を可変できるようになっている。
【０１６１】
以上本発明に係る空気調和機を説明したが、本発明は上記各実施形態に限定されず、本発明の趣旨を逸脱しない範囲で適宜の変更を加えて実施することができる。
【図面の簡単な説明】
【０１６２】
【図１】は、本発明の第１実施形態の空気調和機の室内機の前方下方吹出しの状態を示す側面断面図である。
【図２】は、本発明の第１実施形態の空気調和機の室内機の後方下方吹出しの状態を示す側面断面図である。
【図３】は、本発明の第１実施形態の空気調和機の室内機の後方下方吹出しの状態のときの吹出口近傍の静圧分布を示す図である。
【図４】は、本発明の第１実施形態の空気調和機の室内機の送風ファンの回転数と風量の関係を示す図である。
【図５】は、本発明の第１実施形態の空気調和機の室内機の送風ファンの風量と騒音の関係を示す図である。
【図６】は、本発明の第１実施形態の空気調和機の室内機の後方下方吹出しの状態のときの居室内の気流の挙動を示す透視斜視図である。
【図７】は、本発明の第１実施形態の空気調和機の室内機の水平吹出しの状態を示す側面断面図である。
【図８】は、本発明の第１実施形態に係る他の態様の空気調和機の室内機の後方下方吹出しの状態のときの居室内の気流の挙動を示す透視斜視図である。
【図９】は、本発明の第２実施形態の空気調和機の室内機の前方下方吹出しの状態を示す側面断面図である。
【図１０】は、本発明の第２実施形態の空気調和機の室内機の後方下方吹出しの状態を示す側面断面図である。
【図１１】は、本発明の第２実施形態の空気調和機の室内機の風向可変部の動作を説明する側面断面図である。
【図１２】は、本発明の第３実施形態の空気調和機の室内機の暖房運転時の前方下方吹出しの状態を示す側面断面図である。
【図１３】は、本発明の第３実施形態の空気調和機の室内機の暖房運転時の後方下方吹出しの状態を示す側面断面図である。
【図１４】は、本発明の第３実施形態の空気調和機の室内機の冷房運転時の前方下方吹出しの状態を示す側面断面図である。
【図１５】は、本発明の第３実施形態の空気調和機の室内機の冷房運転時の水平方向吹出しの状態を示す側面断面図である。
【図１６】は、本発明の第３実施形態の空気調和機の室内機の停止時の状態を示す側面断面図である。
【図１７】は、本発明の第４実施形態の空気調和機の室内機の暖房運転時の前方下方吹出しの状態を示す側面断面図である。
【図１８】は、本発明の第４実施形態の空気調和機の室内機の暖房運転時の他の前方下方吹出しの状態を示す側面断面図である。
【図１９】は、本発明の第４実施形態の空気調和機の室内機の暖房運転時の後方下方吹出しの状態を示す側面断面図である。
【図２０】は、本発明の第４実施形態の空気調和機の室内機の暖房運転時の他の後方下方吹出しの状態を示す側面断面図である。
【図２１】は、本発明の第４実施形態の空気調和機の室内機の暖房運転時の真下方向吹出しの状態を示す側面断面図である。
【図２２】は、本発明の第４実施形態の空気調和機の室内機の暖房運転時の他の真下方向吹出しの状態を示す側面断面図である。
【図２３】は、本発明の第４実施形態の空気調和機の室内機の冷房運転時の前方下方吹出しの状態を示す側面断面図である。
【図２４】は、本発明の第４実施形態の空気調和機の室内機の冷房運転時の前方上方吹出しの状態を示す側面断面図である。
【図２５】は、本発明の第４実施形態の空気調和機の室内機の前方上方吹出しの状態のときの居室内の気流の挙動を示す透視斜視図である。
【図２６】は、本発明の第４実施形態の空気調和機の室内機の冷房運転時の水平方向吹出しの状態を示す側面断面図である。
【図２７】は、本発明の第４実施形態の空気調和機の室内機の停止時の状態を示す側面断面図である。
【図２８】は、本発明の第５実施形態の空気調和機の室内機の暖房運転時の前方下方吹出しの状態を示す側面断面図である。
【図２９】は、本発明の第５実施形態の空気調和機の室内機の暖房運転時の後方下方吹出しの状態を示す側面断面図である。
【図３０】は、本発明の第５実施形態の空気調和機の室内機の暖房運転時の他の後方下方吹出しの状態を示す側面断面図である。
【図３１】は、本発明の第５実施形態の空気調和機の室内機の暖房運転時の真下方向吹出しの状態を示す側面断面図である。
【図３２】は、本発明の第５実施形態の空気調和機の室内機の暖房運転時の他の真下方向吹出しの状態を示す側面断面図である。
【図３３】は、本発明の第５実施形態の空気調和機の室内機の暖房運転時の他の前方下方吹出しの状態を示す側面断面図である。
【図３４】は、本発明の第５実施形態の空気調和機の室内機の冷房運転時の前方下方吹出しの状態を示す側面断面図である。
【図３５】は、本発明の第５実施形態の空気調和機の室内機の冷房運転時の前方上方吹出しの状態を示す側面断面図である。
【図３６】は、本発明の第５実施形態の空気調和機の室内機の冷房運転時の水平方向吹出しの状態を示す側面断面図である。
【図３７】は、本発明の第５実施形態の空気調和機の室内機の停止時の状態を示す側面断面図である。
【図３８】は、本発明の第６実施形態の空気調和機の室内機の暖房運転時の前方下方吹出しの状態を示す側面断面図である。
【図３９】は、本発明の第６実施形態の空気調和機の室内機の暖房運転時の他の前方下方吹出しの状態を示す側面断面図である。
【図４０】は、本発明の第６実施形態の空気調和機の室内機の暖房運転時の後方下方吹出しの状態を示す側面断面図である。
【図４１】は、本発明の第６実施形態の空気調和機の室内機の暖房運転時の真下方向吹出しの状態を示す側面断面図である。
【図４２】は、本発明の第６実施形態の空気調和機の室内機の冷房運転時の前方上方吹出しの状態を示す側面断面図である。
【図４３】は、本発明の第６実施形態の空気調和機の室内機の冷房運転時の水平方向吹出しの状態を示す側面断面図である。
【図４４】は、本発明の第６実施形態の空気調和機の室内機の停止時の状態を示す側面断面図である。
【図４５】は、第１実施形態の空気調和機と比較する比較例の空気調和機の室内機を示す側面断面図である。
【図４６】は、第１実施形態の空気調和機と比較する比較例の空気調和機の室内機の吹出口近傍の静圧分布を示す図である。
【図４７】は、従来の空気調和機の室内機の前方下方吹出しの状態を示す側面断面図である。
【図４８】は、従来の空気調和機の室内機の真下方向吹出しの状態を示す側面断面図である。
【図４９】は、従来の空気調和機の室内機の後方下方吹出しの状態を示す側面断面図である。
【図５０】は、従来の空気調和機の室内機の前方下方吹出しの状態のときの吹出口近傍の静圧分布を示す図である。
【図５１】は、従来の空気調和機の室内機の真下方向吹出しの状態のときの吹出口近傍の静圧分布を示す図である。
【図５２】は、従来の空気調和機の室内機の後方下方吹出しの状態のときの吹出口近傍の静圧分布を示す図である。
【符号の説明】
【０１６３】
１    室内機
２    キャビネット
３    フロントパネル
４    吸込口
５    吹出口
６    送風経路
７    送風ファン
８    エアフィルタ
９    室内熱交換器
１０    ドレンパン
１２    縦ルーバ
２５    渦
６１    温度センサ
９０    高静圧部
９８    仮想面
１１０ａ、１１０ｂ、１１１ａ、１１１ｂ、１１２ａ、１１２ｂ、１１３ａ、１１３ｂ、１１３ｃ、１１４ａ、１１４ｂ、１１５ａ、１１５ｂ  風向可変部
【図１】
2005164061.tif 000003
【図２】
2005164061.tif 000004
【図３】
2005164061.tif 000005
【図４】
2005164061.tif 000006
【図５】
2005164061.tif 000007
【図６】
2005164061.tif 000008
【図７】
2005164061.tif 000009
【図８】
2005164061.tif 000010
【図９】
2005164061.tif 000011
【図１０】
2005164061.tif 000012
【図１１】
2005164061.tif 000013
【図１２】
2005164061.tif 000014
【図１３】
2005164061.tif 000015
【図１４】
2005164061.tif 000016
【図１５】
2005164061.tif 000017
【図１６】
2005164061.tif 000018
【図１７】
2005164061.tif 000019
【図１８】
2005164061.tif 000020
【図１９】
2005164061.tif 000021
【図２０】
2005164061.tif 000022
【図２１】
2005164061.tif 000023
【図２２】
2005164061.tif 000024
【図２３】
2005164061.tif 000025
【図２４】
2005164061.tif 000026
【図２５】
2005164061.tif 000027
【図２６】
2005164061.tif 000028
【図２７】
2005164061.tif 000029
【図２８】
2005164061.tif 000030
【図２９】
2005164061.tif 000031
【図３０】
2005164061.tif 000032
【図３１】
2005164061.tif 000033
【図３２】
2005164061.tif 000034
【図３３】
2005164061.tif 000035
【図３４】
2005164061.tif 000036
【図３５】
2005164061.tif 000037
【図３６】
2005164061.tif 000038
【図３７】
2005164061.tif 000039
【図３８】
2005164061.tif 000040
【図３９】
2005164061.tif 000041
【図４０】
2005164061.tif 000042
【図４１】
2005164061.tif 000043
【図４２】
2005164061.tif 000044
【図４３】
2005164061.tif 000045
【図４４】
2005164061.tif 000046
【図４５】
2005164061.tif 000047
【図４６】
2005164061.tif 000048
【図４７】
2005164061.tif 000049
【図４８】
2005164061.tif 000050
【図４９】
2005164061.tif 000051
【図５０】
2005164061.tif 000052
【図５１】
2005164061.tif 000053
【図５２】
2005164061.tif 000054